【手続補正書】
【提出日】平成24年2月27日(2012.2.27)
【手続補正１】
【補正対象書類名】明細書
【補正対象項目名】００１９
【補正方法】変更
【補正の内容】
【００１９】
特に図４から図７を参照すると、ポンプ１０はそれぞれのハウジング１２及び１４の底部のポート４２及び４４を通して吸気を引き込む。ポンプ室に対する吸気フラッパ弁４６a、４８aはピストンヘッド４６または４８（図２）に設けられており、これらのフラッパ弁を通して、それぞれのシリンダ２２、２４、ピストン２５、２７、及び弁板２６または２８によって形成されるそれぞれのポンプ室２００、２０１に空気が入り込む。空気は弁２８a、２６aを通して、またスルー管３６及び排気口８８を通して排気することができる。勿論、ヘッド３０は一体的に弁板２６及び２８を含むようにすることができ、この場合は、ヘッドの各カバーは分離片として形成することができ、各カバーは図示するようにヘッド３０に一体的に形成される。
【手続補正２】
【補正対象書類名】明細書
【補正対象項目名】００２２
【補正方法】変更
【補正の内容】
【００２２】
ポンプ２０が動作中の場合、ピストンがハウジング１４の底部を通してポンプ室に空気を引き込んでいるとき、カバー２０はシリンダのピストンの往復から得られる周期的な減圧力を受ける。この減圧はまたカバー２０を孔５０に保持する助けとなる。リング６４はハウジング１４に固定した孔６０にカバー２０を保持する唯一の一定の力をもたらし、このため、カバーは「ファスナレス(fastenerless)」と称することができ、このことはカバー２０がハウジング１４に容易に押込み式に組み付けられることを可能にする。ねじ回しスロット、即ち凹部５７をフランジ５８の縁に設けて、取外しのために孔５０からカバー２０を動かせるようにする空間を形成することができる。
【手続補正３】
【補正対象書類名】明細書
【補正対象項目名】００２８
【補正方法】変更
【補正の内容】
【００２８】
弁板の頂部の近くにあると共に、伸張部８２から上方に伸張する弁板２８の一部分を本願において部位８６と称する。この部位８６は１つ以上の凹部８７を用いて形成して、平ブレードねじ回しを用いて弁板をシリンダから動かせるようにしても良い。
【手続補正４】
【補正対象書類名】明細書
【補正対象項目名】００３１
【補正方法】変更
【補正の内容】
【００３１】
図９を参照すると、各ピストン組立て品２５、２７はまた、つり合い重り部９６及びスタブ９８（図６Ｂ）を有する、例えば、はがねから成る偏心器９４を備えている。ピストン組立て品２５、２７はそれぞれの偏心器９４を介してモータの主軸１００の両端に固定されている。このために、主軸１００の端部及びねじ切りファスナ（図示せず）、例えば、止めねじを受け入れる寸法に作られた孔を各偏心器９４は有している。この場合、ねじ切りファスナ９３は主軸に対してしっかり締めて、偏心器及びピストン組立て品を主軸上に固定することができる。主軸１００が回転するとき、ピストン９２が往復するように、軸中心線１０４はスタブ軸１０６から離間すると共にこれと平行している。スタブ９８は、例えば玉軸受または他の形式の軸受であって良い軸受１０８によってピストンまで移動(journal)する。
【手続補正５】
【補正対象書類名】明細書
【補正対象項目名】００３６
【補正方法】変更
【補正の内容】
【００３６】
図１３はポンプ１０をその側に取り付けた代替実施例を図示している。各吸気口１４０は底部よりもむしろハウジングのおのおのの側に設けられている。また、図１２の各マウントのような各管マウントは吸気口１４０のおのおのに対して、かつポンプ１０の三点マウントに排気口８８をもたらしている。各ポート１４０に接続された各管はポンプ１０に空気を送り、ポート８８からの管マウントはポート１０からの空気に対して通路をもたらす。３つのポート全ては吸気及び排気の双方に対してマニホルドをもたらすことができる同一のベースに接続することができる。
【手続補正６】
【補正対象書類名】明細書
【補正対象項目名】００３７
【補正方法】変更
【補正の内容】
【００３７】
図１４はマウント１３２の代わりに使用し得る管マウント１５２に対するより詳細な構成を図示している。ポート１３８はその各端部にて成形した各フランジを有する管マウント１５２によってベース１３６のポート１５０に接続されている。各ガセットは管マウントの中央部と各フランジの間に設けることもできる。取付け止め金具１５４は管マウントの一部分として成形し得るか、ポート１３８及び１５０の端部の間に分離して設けることができるか、または管マウントがポンプを支持するのに十分硬質である場合に省くことができる。ポンプ１０を付加的に支持するための管マウント１５２のフランジの間に圧縮ばね１５６が設けられる。この管マウント１５２は、最低の周波数でできるだけ多くの振動を吸収したり、またポンプ１０に対してフローをもたらす間、ポンプ１０を依然として支持したりまたはこの支持を助けたりするようにできるだけ軟質である弾性材料から成形されることが好ましい。
【手続補正７】
【補正対象書類名】明細書
【補正対象項目名】００３８
【補正方法】変更
【補正の内容】
【００３８】
図１５はポート１３８、１４０、１５０またはプラグ１６０（図２）のような取付け具をどのようにしてベース１３６、ハウジング１２または１４、或いはヘッド３０等のボディに設けて、ボディの間に接続部を形成し得るかを図示している。図１５において、ボディは参照番号１６４によって同定される。図１５に図示するように、取付け具１６６はポートである。ボディ１６４はこのボディ１６４及び面取り部１７０の内部の円筒部１７２の内側に向かう方向にテーパーが付いた面取り部１７０を有する円形開口部１６８を有している。取付け具１６６はその外面の開放端近傍にシール溝１７６及び保持リング溝１７８を形成し、開放端１８５を有する前部１７４を有する。標準のO-リング、クワドリング、四角の断面を有するO-リング、または任意の他の種類のシールリングであって良いシールリング１８０はシール溝１７６にて前部１７４を取り囲んでいる。保持リング１８２は保持溝１７８中に受容されており、弾性リングであって良い。また、この弾性リングは、弾性体、プラスチックまたは金属であって良く、しかも割りが入っていてもいなくとも良い、標準のO-リング、クワドリング、四角の断面を有するO-リング、または任意の他の種類の圧縮可能でかつ膨張可能なリングのうちの何れかである。シールリング１８０は従来の流儀で円筒部１７２の表面に対してシールする。しかしながら、取付け具１６６を孔１６８に挿入すると直ちに、保持リング１８２は面取り部１７０によって最初に圧縮される。また、円筒部１７２の内側縁１８４をクリアし、この時点で膨張し切って円筒部の内側縁１８４に干渉して取付け具１６６を開口部１６８に保持するまで、円筒部１７２を通して滑動する。この動作によって、取付け具１６６をボディ１６４に押込み式に組み付けることが容易になると共に、取付け具１６６をボディ１６４に固定接続することが容易になる。
【手続補正８】
【補正対象書類名】明細書
【補正対象項目名】００４１
【補正方法】変更
【補正の内容】
【００４１】
１０・・・ポンプ、１２、１４・・・ハウジング、１６・・・モータ、１８，２０・・・カバー、２２、２４・・・シリンダ、２５、２７・・・ピストン組立品、２６、２８・・・弁板、２６a、２８a・・・弁、３０・・・ヘッド、３２、３４・・・ヘッド部材、３２a、３２b、３４a、３４b・・・開口、３６・・・管、４０・・・ボルト、４２、４４、８８、１３８、１４０、１５０・・・ポート、４６、４８・・・ピストンヘッド、４６a、４８a・・・吸気フラッパ弁、５０・・・円形孔、５２、１７２・・・円筒部、５４・・・面取り部、５６・・・端面、５７、８７・・・凹部、５８・・・フランジ、６０、８２・・・伸張部、６２・・・Ｏ−リング、６４、８４・・・シールリング、６６・・・肩部、７４、７９・・・ピン、７６・・・ファスナ、８０・・・シールリング溝、８６・・・部位、９２・・・ピストン、９４・・・偏心器、９６・・・つり合い重り部、９８・・・スタブ、１００・・・モータ主軸、１０４・・・軸中心線、１０６・・・スタブ軸、１０８・・・軸受、１１０、１１２、１１４・・・孔、１１５・・・磁気的ピン取付け具、１１７・・・磁気ディスク、１３２・・・管状物、１３６・・・ベース、１５２・・・管マウント、１５４・・・取付け止め金具、１５６・・・圧縮ばね、１６０・・・プラグ、１６４・・・ボディ、１６６・・・取付け具、１６８・・・円形開口部、１７０・・・面取り部、１７４・・・前部、１７６・・・シール溝、１７８・・・保持リング溝、１８０・・・シールリング、１８２・・・保持リング、１８４・・・内側縁、２００、２０１・・・ポンプ室
【手続補正９】
【補正対象書類名】図面
【補正対象項目名】図６Ｂ
【補正方法】変更
【補正の内容】
【図６Ｂ】
2012062903.tif 000001
【手続補正１０】
【補正対象書類名】図面
【補正対象項目名】図１５
【補正方法】変更
【補正の内容】
【図１５】
2012062903.tif 000002